(57)【要約】【課題】第１筐体と第２筐体に配備された２つのディスプレイの画面に跨って画像を表示した場合の画像の連続性を保つ。【解決手段】本発明に係る開閉式小型電子機器において、リンク機構４は、平行四辺形の４つの辺に対応する４本のアーム４１〜４４からなる４節リンク機構によって構成され、互いに平行に伸びる第１及び第２アーム４１，４２と、両アーム４１，４２の互いに対応する端部どうしを互いに連結する第３及び第４アーム４３，４４とを具える。そして、第３アーム４３の複数の端部が第１筐体１に連結されて、第４アーム４４の複数の端部が第２筐体２に連結され、第１アーム４１の中間部と第２アーム４２の中間部がベース体３に連結され、第１アーム４１と第２アーム４２は、中間部を支点として第３アーム４３と第４アーム４４を互いに逆方向に移動させる。【選択図】図９
2010130264.tif 000002
【特許請求の範囲】
【請求項１】
ベース体によって第１筐体と第２筐体が支持されると共に、第１筐体と第２筐体は連結機構によって互いにスライド可能に連結され、第１筐体と第２筐体の表面にはそれぞれ第１ディスプレイと第２ディスプレイが設置され、前記連結機構は、第２筐体によって第１ディスプレイの表面を覆うと共に第２ディスプレイの表面を露出させた閉じ位置と、両筐体の少なくとも何れか一方の筐体がスライドして第１ディスプレイの表面を露出させた中間位置と、両ディスプレイの表面を略同一平面上に並べて露出させた開き位置との間で、両筐体を相対移動可能に連結するリンク機構を具え、
前記リンク機構は、第１筐体及び第２筐体の何れか一方の筐体に対して回転可能に連結された第１連結部と、他方の筐体に対して回転可能且つ両筐体のスライド方向と平行な摺動が可能に連結された第２連結部と、ベース体に回転可能に連結された第３連結部と、第３連結部を支点として第１連結部と第２連結部を互いに逆方向に移動させるリンク部とを有し、
両筐体の前記閉じ位置から開き位置への相対移動は、第２連結部が摺動して両筐体が前記閉じ位置から中間位置に達する第１行程と、第１連結部と第２連結部が第３連結部を支点として互いに逆方向に移動して両筐体が前記中間位置から開き位置に達する第２行程とによって実行されることを特徴とする開閉式小型電子機器。
【請求項２】
前記リンク機構は、平行四辺形の４つの辺に対応する４本のアームからなる４節リンク機構によって構成され、互いに平行に伸びる第１及び第２アームと、両アームの互いに対応する端部どうしを互いに連結する第３及び第４アームとを具え、第３アームの複数の端部が第１筐体に連結されて前記第１連結部が構成され、第４アームの複数の端部が第２筐体に連結されて前記第２連結部が構成され、第１アームの中間部と第２アームの中間部がベース体に連結されて前記第３連結部が構成され、第１アームと第２アームによって前記リンク部が構成されている請求項１に記載の開閉式小型電子機器。
【請求項３】
前記第１連結部を構成する第３アームは、第１筐体に対して回転可能且つ両筐体のスライド方向と平行な摺動が可能に連結されている請求項２に記載の開閉式小型電子機器。
【請求項４】
前記第３筐体には受け部が形成されており、該受け部は、第１筐体と第２筐体が開き位置に達したときに、第２筐体の移動を受け止めることによって両筐体の相対移動を制止する請求項１乃至請求項３の何れかに記載の開閉式小型電子機器。
【請求項５】
第２筐体には、第２ディスプレイの少なくとも一部の表面を覆って、透光性を有する入力用タッチパネルが設置されている請求項１乃至請求項４の何れかに記載の開閉式小型電子機器。
【発明の詳細な説明】
【技術分野】
【０００１】
本発明は携帯電話機等の小型電子機器に関し、特に、互いに開閉可能に連結された第１筐体と第２筐体のそれぞれにディスプレイを配備した開閉式小型電子機器に関するものである。
【背景技術】
【０００２】
近年、携帯電話機においては、益々多機能化が進んでおり、これに伴ってディスプレイに表示すべき情報も多種多様となっているため、ディスプレイの大画面化が図られている。しかしながら、ディスプレイの画面の大きさは、筐体の大きさにより制限されるため、ディスプレイの大画面化にも限界がある。
【０００３】
ところで、携帯用の表示装置において、２つの筐体を折り畳み可能に連結して、両筐体の内面にそれぞれディスプレイを配備し、２画面によって多くの情報を表示することが提案されている(特許文献１)。
【０００４】
そこで、第１筐体と第２筐体を折り畳み可能に連結した折り畳み式携帯電話機において、第１筐体と第２筐体の内面にそれぞれディスプレイを配備する構成や、第１筐体と第２筐体をスライド可能に連結したスライド式携帯電話機において、第１筐体と第２筐体の表面にそれぞれディスプレイを配備する構成が考えられる。
【特許文献１】特開平１１−１６７３５４号公報
【発明の開示】
【発明が解決しようとする課題】
【０００５】
しかしながら、第１筐体と第２筐体の内面にそれぞれディスプレイを配備した折り畳み式携帯電話機においては、両筐体を閉じた状態では２つのディスプレイが隠れてしまうので、両筐体を閉じた状態で電話通信を行なうときの情報表示を可能とするためには、両筐体を閉じた状態で露出する面に、更に第３のディスプレイを配備する必要があり、構成が複雑となる問題がある。
一方、第１筐体と第２筐体の表面にそれぞれディスプレイを配備したスライド式携帯電話機においては、両筐体を開いた状態で２つのディスプレイには段差が生じるため、２つのディスプレイの画面に跨って画像の表示を行なった場合、画像が大きく２つに分断されてしまい、特に連続する画像の場合に違和感が生じる問題があった。
【０００６】
そこで本発明の目的は、第１筐体と第２筐体からなる開閉式小型電子機器において、両筐体を閉じた状態では、第３のディスプレイを用いることなく情報表示が可能であり、然も、両筐体を開いた状態では、２つのディスプレイの画面に跨って画像を表示した場合に画像の連続性を保つことが出来る開閉式小型電子機器を提供することである。
【課題を解決するための手段】
【０００７】
本発明に係る開閉式小型電子機器は、ベース体（３）によって第１筐体（１）と第２筐体（２）が支持されると共に、第１筐体（１）と第２筐体（２）は連結機構によって互いにスライド可能に連結され、第１筐体（１）と第２筐体（２）の表面にはそれぞれ第１ディスプレイ（１１）と第２ディスプレイ（２１）が設置され、前記連結機構は、第２筐体（２）によって第１ディスプレイ（１１）の表面を覆うと共に第２ディスプレイ（２１）の表面を露出させた閉じ位置と、両筐体（１，２）の少なくとも何れか一方の筐体がスライドして第１ディスプレイ（１１）の表面を露出させた中間位置と、両ディスプレイ（１１，２１）の表面を略同一平面上に並べて露出させた開き位置との間で、両筐体（１，２）を相対移動可能に連結するリンク機構（４）を具えている。
【０００８】
前記リンク機構（４）は、第１筐体（１）及び第２筐体（２）の何れか一方の筐体に対して回転可能に連結された第１連結部と、他方の筐体に対して回転可能且つ両筐体（１，２）のスライド方向と平行な摺動が可能に連結された第２連結部と、ベース体（３）に回転可能に連結された第３連結部と、第３連結部を支点として第１連結部と第２連結部を互いに逆方向に移動させるリンク部とを有している。
【０００９】
そして、両筐体（１，２）の前記閉じ位置から開き位置への相対移動は、第２連結部が摺動して両筐体（１，２）が前記閉じ位置から中間位置に達する第１行程と、第１連結部と第２連結部が第３連結部を支点として互いに逆方向に移動して両筐体（１，２）が前記中間位置から開き位置に達する第２行程とによって実行される。
【００１０】
上記開閉式小型電子機器によれば、閉じ位置では、第１ディスプレイ（１１）の表面が第２筐体（２）によって覆われ、第２ディスプレイ（２１）の表面が露出するので、この状態では、第２ディスプレイ（２１）を用いて情報の表示が可能である。
閉じ位置から開き位置までの過程では、第１行程において、両筐体（１，２）がスライドして第１ディスプレイ（１１）の表面が露出することとなる。この状態では、第１ディスプレイ（１１）と第２ディスプレイ（２１）との間には段差が生じている。
そこで第２行程において、第２筐体（２）を押し下げることにより、第１連結部と第２連結部が第３連結部を支点として互いに逆方向に移動して、第１筐体（１）が押し上げられ、第１ディスプレイ（１１）と第２ディスプレイ（２１）との間の段差が小さくなって第１ディスプレイ（１１）と第２ディスプレイ（２１）とが略同一平面上に揃うこととなる。この状態では、第１ディスプレイ（１１）の画面と第２ディスプレイ（２１）の画面とが略同一平面上に揃っているので、２つのディスプレイ（１１，２１）の画面に跨って画像を表示した場合に画像の連続性を保つことが出来る。
【００１１】
具体的構成において、前記リンク機構（４）は、平行四辺形の４つの辺に対応する４本のアームからなる４節リンク機構によって構成され、互いに平行に伸びる第１及び第２アーム（４１，４２）と、両アームの互いに対応する端部どうしを互いに連結する第３及び第４アーム（４３，４４）とを具え、第３アーム（４３）の複数の端部が第１筐体（１）に連結されて前記第１連結部が構成され、第４アーム（４４）の複数の端部が第２筐体（２）に連結されて前記第２連結部が構成され、第１アーム（４１）の中間部と第２アーム（４２）の中間部がベース体（３）に連結されて前記第３連結部が構成され、第１アーム（４１）と第２アーム（４２）によって前記リンク部が構成されている。
【００１２】
より具体的な構成において、前記第１連結部を構成する第３アーム（４３）は、第１筐体（１）に対して回転可能且つ両筐体（１，２）のスライド方向と平行な摺動が可能に連結されている。
【００１３】
上記具体的構成によれば、第１乃至第４アーム（４１〜４４）が平行四辺形の４つの辺に対応し、かつ互いに平行に伸びる第１及び第２アーム（４１，４２）のそれぞれの中間部がベース体（３）に連結されているので、第１及び第２アーム（４１，４２）は、中間部を結ぶ仮想線に対して第３アーム（４３）と第４アーム（４４）を平行に維持しながら、第３アーム（４３）と第４アーム（４４）を中間部を支点として互いに逆方向に回転させることが出来る。即ち、第１及び第２アーム（４１，４２）の回転に対して、第３アーム（４３）と第４アーム（４４）はそれぞれ、同じ姿勢を維持したまま逆方向に移動することとなる。
これに加えて、第３アーム（４３）の複数の端部が第１筐体（１）に連結され、第４アーム（４４）の複数の端部が第２筐体（２）に連結されているので、第１筐体（１）は第３アーム（４３）に対して同じ姿勢を維持し、第２筐体（２）は第４アーム（４４）に対して同じ姿勢を維持する。
【００１４】
従って、第１筐体（１）と第２筐体（２）は、閉じ位置から開き位置まで、閉じ位置での姿勢と同じ姿勢を維持する。その結果、閉じ位置に配置されている第１筐体（１）と第２筐体（２）に対して、スライド操作と、第２筐体（２）を押圧する押圧操作とを順に実行するだけで、第１ディスプレイ（１１）と第２ディスプレイ（２１）とが略同一平面上に揃うこととなる。
【００１５】
他の具体的構成において、前記第３筐体（３）には受け部が形成されており、該受け部は、第１筐体（１）と第２筐体（２）が開き位置に達したときに、第２筐体（２）の移動を受け止めることによって両筐体（１，２）の相対移動を制止する。
該具体的構成によれば、開き位置において、第１ディスプレイ（１１）と第２ディスプレイ（２１）を確実に略同一平面上に揃えることが可能になると共に、第２筐体に下方に押圧力を加えている限りにおいては、第１ディスプレイ（１１）と第２ディスプレイ（２１）との間に段差が生じることがない。
【００１６】
更に他の具体的構成において、第２筐体（２）には、第２ディスプレイ（２１）の少なくとも一部の表面を覆って、透光性を有する入力用タッチパネルが設置されている。
該具体的構成によれば、第１筐体(１)と第２筐体(２)が互いに閉じた状態で、第２筐体(２)の第２ディスプレイ（２１）には、画像等の表示が行なわれると共に、入力用タッチパネルの操作によって文字等の入力が可能となる。
【発明の効果】
【００１７】
本発明に係る開閉式小型電子機器によれば、両筐体を閉じた状態で第２ディスプレイによって情報を表示することが可能であるばかりでなく、両筐体を開いた状態で第１ディスプレイと第２ディスプレイの両方によって情報を表示することが可能であり、両筐体を開いた状態では、両ディスプレイの画面に跨って画像を表示した場合に画像の連続性を保つことが出来る。
【発明を実施するための最良の形態】
【００１８】
以下、本発明の実施の形態につき、図面に沿って具体的に説明する。
本発明に係る開閉式小型電子機器は、図１に示す如く、扁平な直方体状を呈する第１筐体１と、扁平な直方体状を呈する第２筐体２とを具え、両筐体１，２は、ベース体３によって支持されると共に、互いにスライド可能に連結されている。尚、図１では、第２筐体２が第１筐体に対して僅かにスライドした状態が示されている。
【００１９】
図３に示す如く、第１筐体１と第２筐体２の表面にはそれぞれ、第１ディスプレイ１１と第２ディスプレイ２１が設置されている。
本実施の形態に係る開閉式小型電子機器では、第２ディスプレイ２１の少なくとも一部の表面を覆って、透光性を有する入力用タッチパネルが設置されている（図示せず）。これにより、入力用タッチパネルの操作による文字等の入力が可能となる。第１ディスプレイ１１の表面にも同様に入力用タッチパネルを設置してもよい。
【００２０】
第１筐体１と第２筐体２は、図９〜図１２に示す如く、左右両側部にて一対のリンク機構４，４によって互いに連結されており、図９に示される様に第２筐体２によって第１ディスプレイ１１の表面を覆うと共に第２ディスプレイ２１の表面を露出させた閉じ位置と、図１０に示される様に筐体２がスライドして第１ディスプレイの一部を露出させた後、図１１に示される様に筐体１がスライドして第１ディスプレイ１１の全面を露出させた中間位置と、図１２に示される様に両ディスプレイ１１，２１の表面を略同一平面上に並べて露出させた開き位置との間で、往復移動が可能となっている。
【００２１】
図３に示される様に、第１筐体１の左右両側面には、リンク機構４をスライド可能に連結するための一対のガイド溝１２，１２が形成され、第２筐体２の左右両側面にも、リンク機構４をスライド可能に連結するための一対のガイド溝２２，２２が形成されている。尚、図３では、一対のガイド溝１２，１２の内、右側のガイド溝１２のみが示されており、左側のガイド溝１２は第１筐体１で隠れてしまっている。一対のガイド溝２２，２２についても同様である。
【００２２】
又、図１３に示される様に、第１筐体１の裏面には、後述する開閉機構のロック部５が係脱可能な第１係合受け部１３と、ロック部５が摺接可能な第１傾斜面１４が形成されている。
第２筐体２の裏面には、開閉機構のロック部５が係脱可能な第２係合受け部２３と、第２係合受け部２３に隣接する凹部２４と、第２係合受け部２３と凹部２４とを仕切る仕切り部２５とが形成されており、仕切り部２５には、凹部２４に面して、ロック部５が摺接可能な第２傾斜面２５１が形成されている。
【００２３】
ベース体３には、図３に示す如く、第１及び第２筐体１，２の左右両側の位置にて一対のリンク機構４，４が取り付けられる取付け具３１が配備されており、取付け具３１の左右両側端には、図５に示す如く、一対のリンク機構４，４を支持するための一対の支持台３２，３２が突設されている。各支持台３２には、図６に示す如く、一対の貫通孔３２１，３２２が上下に１つずつ形成されている。
【００２４】
図８に示す如くリンク機構４は、４本のアーム、即ち第１乃至第４アーム４１〜４４からなる４節リンク機構によって構成されている。第１アーム４１と第２アーム４２は互いに平行に伸びており、第１アーム４１には、両端位置に第１及び第２支軸４１１，４１２が形成されると共に中間位置に第３支軸４１３が形成され、第２アーム４２には、両端位置に第１及び第２支軸４２１，４２２が形成されると共に中間位置に第３支軸４２３が形成されている。
又、第１アーム４１の第１支軸４１１と第２支軸４１２の間の距離Ｌ１と、第２アーム４２の第１支軸４２１と第２支軸４２２の間の距離Ｌ２は同じである。
【００２５】
第１アーム４１の第３支軸４１３は、支持台３２の貫通孔３２１に対して外側から回転可能に連結され、第２アーム４２の第３支軸４２３は、支持台３２の貫通孔３２２に対して外側から回転可能に連結されている。これにより、第１アーム４１は、第３支軸４１３を支点として第１支軸４１１と第２支軸４１２を互いに逆方向に移動させることが出来、第２アーム４２は、第３支軸４２３を支点として第１支軸４２１と第２支軸４２２を互いに逆方向に移動させることが出来る。
【００２６】
このとき、第１アーム４１の第１及び第２支軸４１１，４１２は何れも内側に向けられており、第１支軸４１１と第２支軸４１２は支持台３２の両端縁に沿って上下に移動することとなる。同様に、第２アーム４２の第１及び第２支軸４２１，４２２も内側に向けられており、第１支軸４２１と第２支軸４２２は支持台３２の両端縁に沿って上下に移動することとなる。
【００２７】
第３アーム４３には、第１アーム４１と第２アーム４２のそれぞれの第１支軸４１１，４２１が回転可能に連結される一対の軸受け部４３１，４３２が形成され、一対の軸受け部４３１，４３２は、支持台３２の一対の貫通孔３２１，３２２間の距離Ｗ１と同じ距離Ｗ２だけ互いに離間している。
又、第４アーム４４には、第１アーム４１と第２アーム４２のそれぞれの第２支軸４１２，４２２が回転可能に連結される一対の軸受け部４４１，４４２が形成され、一対の軸受け部４４１，４４２は、支持台３２の一対の貫通孔３２１，３２２間の距離Ｗ１と同じ距離Ｗ３だけ互いに離間している。
【００２８】
第３アーム４３の一対の軸受け部４３１，４３２に第１アーム４１と第２アーム４２のそれぞれの第１支軸４１１，４２１を連結し、第４アーム４４の一対の軸受け部４４１，４４２に第１アーム４１と第２アーム４２のそれぞれの第２支軸４１２，４２２を連結することにより、第１及び第２アーム４１，４２の互いに対応する端部どうしが、第３アーム４３と第４アーム４４によって互いに連結されることとなる。
【００２９】
しかも、第１アーム４１の第１支軸４１１と第２支軸４１２の間の距離Ｌ１と、第２アーム４２の第１支軸４２１と第２支軸４２２の間の距離Ｌ２が同じであり、且つ第３アーム４３の一対の軸受け部４３１，４３２間の距離Ｗ２と第４アーム４４の一対の軸受け部４４１，４４２間の距離Ｗ３が何れも、支持台３２の一対の貫通孔３２１，３２２間の距離Ｗ１と同じであるので、上記の如く連結された４本のアーム４１〜４４は、図１３（ｂ）に破線で示された平行四辺形Ｐの４つの辺に対応することとなる。
【００３０】
従って、第１アーム４１は、第１支軸４１１と第２支軸４１２の中間位置に形成された第３支軸４１３を支点として回転することが可能であると同時に、第２アーム４２は、第１アーム４１と平行を維持しながら、第１支軸４２１と第２支軸４２２の中間位置に形成された第３支軸４２３を支点として回転することが可能である。従って、第１アーム４１と第２アーム４２とを回転することにより、第１アーム４１と第２アーム４２の両端に連結されている第３アーム４３と第４アーム４４は、第３支軸４１３，４２３を支点として互いに逆方向に移動することとなる。
【００３１】
このとき、第３アーム４３は、一対の軸受け部４３１，４３２を結ぶ仮想線を、第１アーム４１と第２アーム４２のそれぞれの第３支軸４１３，４２３を結ぶ仮想線に対して平行に維持しながら移動することとなる。又、第４アーム４４は、一対の軸受け部４４１，４４２を結ぶ仮想線を、第１アーム４１と第２アーム４２のそれぞれの第３支軸４１３，４２３を結ぶ仮想線に対して平行に維持しながら移動することとなる。
即ち、第１及び第２アーム４１，４２の回転に対して、第３アーム４３と第４アーム４４はそれぞれ、同じ姿勢を維持したまま逆方向に移動することとなる。
【００３２】
更に、第３アーム４３には、図８に示される様に、第１筐体１のガイド溝１２にスライド可能に係合する一対の係合部４３３，４３４が内側に向かって突設され、一対の係合部４３３，４３４は、第１筐体１をスライドさせる方向に沿って互いに離間している。そして、一対の係合部４３３，４３４は、第３アーム４３の端部を構成している。
【００３３】
図９に示される様に、第３アーム４３の一対の係合部４３３，４３４を第１筐体１のガイド溝１２に係合させることにより、第３アーム４３の一対の係合部４３３，４３４が第１筐体１に対してスライド可能に連結されることとなり、その結果、第１筐体１は、一方の係合部４３３に対して他方の係合部４３４が離間している離間方向に沿って移動することのみが可能となる。
即ち、第１筐体１は第３アーム４３に対して同じ姿勢を維持することとなる。
【００３４】
又、第４アーム４４には、図８に示される様に、第２筐体２のガイド溝２２にスライド可能に係合する一対の係合部４４３，４４４が内側に向かって突設され、一対の係合部４４３，４４４は、第２筐体２をスライドさせる方向に沿って互いに離間している。そして、一対の係合部４４３，４４４は、第４アーム４４の端部を構成している。
【００３５】
図９に示される様に、第４アーム４４の一対の係合部４４３，４４４を第１筐体２のガイド溝２２に係合することにより、第４アーム４４の一対の係合部４４３，４４４が第２筐体２に対してスライド可能に連結されることとなり、その結果、第２筐体２は、一方の係合部４４３に対して他方の係合部４４４が離間している離間方向に沿って移動することのみが可能となる。
即ち、第２筐体２は第４アーム４４に対して同じ姿勢を維持することとなる。
【００３６】
そして、第３アーム４３の一対の係合部４３３，４３４と、第４アーム４４の一対の係合部４４３，４４４は、第３アーム４３と第４アーム４４が第１アーム４１と第２アームに連結された状態において、一対の係合部４３３，４３４の離間方向と一対の係合部４４３，４４４の離間方向とが平行となる様に形成されている。
従って、第１筐体１のスライド方向と第２筐体２のスライド方向とは互いに平行になっている。
【００３７】
上述したリンク機構４の構成によれば、閉じ位置から開き位置までの何れの位置においても、第１筐体１と第２筐体２は閉じ位置での姿勢と同じ姿勢を維持することとなる。従って、第１ディスプレイ１１の表面と第２ディスプレイ２１の表面は互いに平行に維持されることとなる。
【００３８】
尚、上述したリンク機構４においては、第３アーム４３の一対の係合部４３３，４３４が第１筐体１に連結されることによって、第１筐体１に対して回転可能且つ筐体１のスライド方向と平行な摺動が可能に連結された第１連結部が構成され、第４アーム４４の一対の係合部４４３，４４４が第２筐体２に連結されることによって、第２筐体２に対して回転可能且つ第２筐体２のスライド方向と平行な摺動が可能に連結された第２連結部が構成されている。
【００３９】
又、第１アーム４１の第３支軸４１３と第２アーム４２の第３支軸４２３が、ベース体３の支持台３２に連結されることによって、ベース体３に回転可能に連結された第３連結部が構成され、第１アーム４１と第２アーム４２によって、第３連結部を支点として第１連結部と第２連結部を互いに逆方向に移動させるリンク部が構成されている。
【００４０】
更に、本実施の形態に係る開閉式小型電子機器では、第１筐体１と第２筐体２をバネ付勢することにより、閉じ位置と中間位置との間での第１筐体１と第２筐体の円滑な移動を可能する開閉機構が配備されている。
開閉機構は、図３に示す如くベース体３の表面に左右１つずつ配備された一対のロック部５，５と、図１３（ａ）に示す如く各ロック部５を上方に付勢する第１ばね部材６１と、図１９に示す如く第１筐体１が開く開き方向に第１筐体１を付勢する第２ばね部材６２と、図１９に示す如く第２筐体２が閉じる閉じ方向に第２筐体２を付勢する第３ばね部材６３とから構成されている。
【００４１】
第１ばね部材６１は圧縮ばねであり、図１３（ａ）に示される様に、下端がベース体３に固定され、上端がロック部５の裏面に固定されている。
【００４２】
図１３（ａ）に示される様に、ロック部５は筐体１の裏面側に配備されており、ロック部５の表面には第１係合部５１と第２係合部５２が形成され、第２係合部５２は、第１筐体の側面に沿って第２筐体２の裏面まで伸びている。そして、第１係合部５１と第２係合部５２は、第１ばね部材６１によって上方にばね付勢されている。
又、ロック部５は、第１ばね部材６１のばね付勢に抗して下方に移動することが可能であり、ロック部５の移動に伴って第１係合部５１と第２係合部５２は同じ方向へ同じ距離だけ移動する。
【００４３】
斯くして、第１係合部５１は、第１筐体１の裏面に形成されている第１係合受け部１３に係脱可能であり、第２係合部５２は、第２筐体２の裏面に形成されている係合受け部２３に係脱可能になっている。
【００４４】
図１３に示される様に、ロック部５には更に、ベース体３の側面に露出した突起部５３が形成され、ベース体３には、突起部５３の下方へ移動を受け止める受け部３３が形成されている。
【００４５】
図１９に示される様に、第２ばね部材６２は、圧縮ばねであって第１筐体１の内部に配置されており、第２ばね部材６２は、開き位置から閉じ位置への第１筐体１の移動に伴って圧縮される様に、その一端が第１筐体１に固定されると共に、他端が支持部材６２１を介してベース体３に固定されている。
第３ばね部材６３は、圧縮ばねであり第２筐体２の内部に配置されており、第３ばね部材６３は、閉じ位置から開き位置への第２筐体２の移動に伴って圧縮される様に、その一端が第２筐体２に固定されると共に、他端が支持部材６３１を介してベース体３に固定されている。
【００４６】
次に、上述した開閉式小型電子機器の開閉動作について説明する。図９、図１３（ａ）及び図１３（ｂ）に示す閉じ位置では、第１筐体１上に第２筐体２が重なっており、第１ディスプレイ１１の表面が第２筐体２によって覆われている。しかし、第２ディスプレイ２１の表面が露出しているので、第２ディスプレイ（２１）を用いて情報の表示が可能である。
【００４７】
図１３（ａ）に示される様に、閉じ位置での開閉機構は、ロック部５が第１ばね部材６１のばね付勢によって上方に移動しており、第１係合部５１が第１筐体１の第１係合受け部１３に係合し、第２係合部５２が第２筐体２の第２係合受け部２３から離脱した状態で凹部２４に嵌まっている。
【００４８】
閉じ位置では、第２ばね部材６２は圧縮されて縮んだ状態となるので（図１９参照）、第１筐体１は、第２ばね部材６２によって開き方向にばね付勢されるが、この付勢力は第１係合部５１と第１係合受け部１３との係合によって受け止められるので、第１筐体１は、第２ばね部材６２のばね付勢に抗して閉じ位置に留まることになる。
一方、第２筐体２は、第３ばね部材６３によって閉じ方向にばね付勢されており、これにより第２筐体２は、図１８に示される様に閉じ位置に配置されることになる。
【００４９】
又、図１３（ｂ）に示される様に、閉じ位置でのリンク機構４は、第１筐体１と第２筐体の配置に従って、第３アーム４３が下方位置に配置され、これに連動して第４アーム４４が上方位置に配置されている。
【００５０】
図１９に示す如く第２筐体２を、閉じ位置から第３ばね部材６３のばね付勢に抗して開き方向にスライドすると、図１４（ａ）に示す如く、ロック部５の第２係合部５２が凹部２４内を開き方向とは逆側に相対的に移動し、第１筐体の裏面に形成されている仕切り部２５の第２傾斜面２５１に摺接する。このときのリンク機構４の状態は、図１０及び図１４（ｂ）に示されている。
【００５１】
図１４（ａ）に示される様に、第２係合部５２が第２傾斜面２５１に摺接した状態で、第２筐体２を開き方向に更にスライドすることにより、第２係合部５２は、第２傾斜面２５１に沿って摺動する。これにより、第２係合部５２は、第１ばね部材６１のばね付勢に抗して下方に移動することとなる。
これに伴って、ロック部５の第１係合部５１も下方に移動し、第１係合部５１が第１筐体１の第１係合受け部１３から離脱し、図２０に示す如く第１筐体１は、第２ばね部材６２のばね付勢によって開き方向にスライドすることとなる。
【００５２】
第１筐体１が開き方向にスライドすることにより、リンク機構４の第３アーム４３に形成されている一対の係合部４３３，４３４は、第１筐体１のガイド溝１２に沿って第１筐体の開き方向とは逆側に相対的にスライドする。そして、一方の係合部４３４がガイド溝１２の終端位置に達することにより、第１筐体１のスライドが制止されることとなる。
【００５３】
第１筐体１が開き方向にスライドしたのと同時又はその後に、更に第２筐体２を開き方向にスライドすることにより、ロック部５の第２係合部５２は仕切り部２５を越えると共に、第１ばね部材６１のばね付勢により上方へ移動して第２筐体２の第２係合受け部２３に係合し、第１筐体１と第２筐体２は、図１１、図１５（ａ）及び図１５（ｂ）に示す中間位置に達する。
【００５４】
図２０に示される様に中間位置では、第３ばね部材６３は圧縮されて縮んだ状態になるので、第２筐体２は、第３ばね部材６３によって閉じ方向にばね付勢されるが、この付勢力は第２係合部５２と第２係合受け部２３との係合によって受け止められるので、第２筐体２は、第３ばね部材６３のばね付勢に抗して中間位置に留まることになる。
【００５５】
図１３（ｂ）〜図１５（ｂ）に示される様に、リンク機構４は、閉じ位置から中間位置までの間においては、閉じ位置での配置と同様に、第３アーム４３が下方位置に配置され、これに連動して第４アーム４４が上方位置に配置されている。
【００５６】
中間位置の状態では、第１筐体１の第１ディスプレイ１１と第２筐体２の第２ディスプレイ２１の両方の表面が露出することになるが、第１ディスプレイ１１と第２ディスプレイ２１との間には段差が生じている。
【００５７】
図１６（ｂ）に示す如く、中間位置から第２筐体２を下方に押し下げることにより、上方位置に配置されていたリンク機構４の第４アーム４４は下方に移動し、下方位置に配置されていた第３アーム４３は、第４アーム４４の移動に連動して第４アーム４４の移動方向とは逆方向（上方）に移動する。これにより、第１筐体１が上方に押し上げられることとなる。
従って、第１ディスプレイ１１と第２ディスプレイ２１との間の段差が小さくなる。このとき、ロック部５の突起部５３は、第２筐体２の移動に伴って下方へ移動することとなる。
【００５８】
そして、第１ディスプレイ１１と第２ディスプレイ２１との間に殆ど段差がない状態となったときに、ロック部５の突起部５３の下方への移動がベース体３の受け部３３によって受け止められ、これにより第１筐体１と第２筐体２の移動が制止される。これにより、第１ディスプレイ１１の画面と第２ディスプレイ２１の画面とが略同一平面上に揃い、第１筐体１及び第２筐体２は、図１２、図１６（ａ）及び図１６（ｂ）に示す開き位置に達する。
この状態では、第１ディスプレイ１１の画面と第２ディスプレイ２１の画面とが略同一平面上に揃っているので、２つのディスプレイ１１，２１の画面に跨って画像を表示した場合に画像の連続性を保つことが出来る。
【００５９】
図１６（ａ）に示される様に開き位置では、第１ばね部材６１は圧縮されて縮んだ状態になるので、第２筐体２は、第１ばね部材６１によって上方にばね付勢されるが、リンク機構４にはロック機構が内蔵されており、該ロック機構によって第１ばね部材６１の付勢力が受け止められることになる。従って、第２筐体２は、第１ばね部材６１のばね付勢に抗して開き位置に留まることになる。
【００６０】
一方、両筐体１，２の開き位置から閉じ位置への移動は、次のように実行される。まず、開き位置から第１筐体１を下方に押し下げることにより、リンク機構４の第３アーム４３は下方位置に移動し、第４アーム４４は、第３アーム４３の移動に連動して第３アーム４３の移動方向とは逆方向（下方）に移動する。これにより、第２筐体２は押し上げられ、第１筐体１と第２筐体２は図１５（ａ）に示す中間位置まで移動する。
そして、図１７（ａ）に示す如く、中間位置から第１筐体１を閉じ方向にスライドする。これにより、第１筐体１に形成されている第１傾斜面１４に、ロック部５の第１係合部５１が摺接する。
【００６１】
図１７（ａ）に示される様に、第１係合部５１が第１傾斜面１４に摺接した状態で、第１筐体１を閉じ方向に更にスライドすることにより、第１係合部５１は、第１傾斜面１４に沿って摺動する。これにより、第１係合部５１は、第１ばね部材６１のばね付勢に抗して下方に移動することとなる。
これに伴って、ロック部５の第２係合部５２も下方に移動し、第２係合部５２が第２筐体２の第２係合受け部２３から離脱し、図１７（ｂ）に示す如く第２筐体２は、第３ばね部材６３のばね付勢によって閉じ方向にスライドし、閉じ位置に配置されることとなる。
【００６２】
更に第１筐体を閉じ方向にスライドすることにより、ロック部５の第１係合部５１は第１係合受け部１３まで移動すると共に、第１ばね部材６１のばね付勢により上方へ移動して第１筐体１の第１係合受け部１３に係合し、第１筐体１も閉じ位置に配置されることとなる。
【００６３】
上述した開閉式小型電子機器によれば、閉じ位置に配置されている第１筐体１と第２筐体２に対しては、第２筐体２のスライド操作と、第２筐体２を押圧する押圧操作とを順に実行するだけで、第１ディスプレイ１１と第２ディスプレイ２１とが略同一平面上に揃うこととなる。
一方、開き位置に配置されている第１筐体１と第２筐体２に対しては、第１筐体１を押圧する押圧操作と、第１筐体１のスライド操作とを順に実行するだけで、第１筐体１と第２筐体２とが閉じ位置に配置されることとなる。
【００６４】
尚、本発明の各部構成は上記実施の形態に限らず、特許請求の範囲に記載の技術的範囲内で種々の変形が可能である。例えば、リンク機構４及び開閉機構は、上述した開閉式小型電子機器と同様の動作が実行できるものであれば、上記実施の形態に限られるものでない。
又、入力用タッチパネルは、第１ディスプレイ１１の少なくとも一部の表面を覆って設置されてもよい。
【図面の簡単な説明】
【００６５】
【図１】本発明の実施の形態に係る開閉式小型電子機器を示す斜視図である。
【図２】該開閉式小型電子機器の上面図である。
【図３】該開閉式小型電子機器の分解斜視図である。
【図４】該開閉式小型電子機器を構成するリンク機構を示す上面図である。
【図５】該リンク機構を示す正面図である。
【図６】該リンク機構を示す側面図である。
【図７】該リンク機構の分解斜視図である。
【図８】図７に示すＢ領域の拡大斜視図である。
【図９】上記開閉式小型電子機器の閉じ位置での状態を示す斜視図である。
【図１０】上記開閉式小型電子機器の中間位置に達する直前の位置での状態を示す斜視図である。
【図１１】上記開閉式小型電子機器の中間位置での状態を示す斜視図である。
【図１２】上記開閉式小型電子機器の開き位置での状態を示す斜視図である。
【図１３】上記開閉式小型電子機器の閉じ位置での状態を示す、（ａ）図２のＡ−Ａ線に沿う断面図、及び（ｂ）側面図である。
【図１４】上記開閉式小型電子機器の中間位置に達する直前の位置での状態を示す、（ａ）図２のＡ−Ａ線に沿う断面図、及び（ｂ）側面図である。
【図１５】上記開閉式小型電子機器の中間位置での状態を示す、（ａ）図２のＡ−Ａ線に沿う断面図、及び（ｂ）側面図である。
【図１６】上記開閉式小型電子機器の開き位置での状態を示す、（ａ）図２のＡ−Ａ線に沿う断面図、及び（ｂ）側面図である。
【図１７】上記開閉式小型電子機器の中間位置から閉じ位置までの状態を示す、図２のＡ−Ａ線に沿う断面図である。
【図１８】上記開閉式小型電子機器を構成する開閉機構の第２及び第３ばね部材の閉じ位置での状態を示す上面図である。
【図１９】該第２及び第３ばね部材の中間位置での状態を示す上面図である。
【図２０】該第２及び第３ばね部材の開き位置での状態を示す上面図である。
【符号の説明】
【００６６】
１  第１筐体
１１  第１ディスプレイ
１２  ガイド溝
１３  第１係合受け部
１４  第１傾斜面
２  第２筐体
２１  第２ディスプレイ
２２  ガイド溝
２３  第２係合受け部
２４  凹部
２５  仕切り部
２５１  第２傾斜面
３  ベース体
３１  取付け具
３２  支持台
３３  受け部
４  リンク機構
４１  第１アーム
４１１  第１支軸
４１２  第２支軸
４１３  第３支軸
４２  第２アーム
４２１  第１支軸
４２２  第２支軸
４２３  第３支軸
４３  第３アーム
４３１，４３２  一対の軸受け部
４３３，４３４  一対の係合部
４４  第４アーム
４４１，４４２  一対の軸受け部
４４３，４４４  一対の係合部
５  ロック部
５１  第１係合部
５２  第２係合部
５３  突起部
６１  第１ばね部材
６２  第２ばね部材
６３  第３ばね部材
【図１】
2010130264.tif 000003
【図２】
2010130264.tif 000004
【図３】
2010130264.tif 000005
【図４】
2010130264.tif 000006
【図５】
2010130264.tif 000007
【図６】
2010130264.tif 000008
【図７】
2010130264.tif 000009
【図８】
2010130264.tif 000010
【図９】
2010130264.tif 000011
【図１０】
2010130264.tif 000012
【図１１】
2010130264.tif 000013
【図１２】
2010130264.tif 000014
【図１３】
2010130264.tif 000015
【図１４】
2010130264.tif 000016
【図１５】
2010130264.tif 000017
【図１６】
2010130264.tif 000018
【図１７】
2010130264.tif 000019
【図１８】
2010130264.tif 000020
【図１９】
2010130264.tif 000021
【図２０】
2010130264.tif 000022